(57)【特許請求の範囲】
【請求項１】
ムーブメントが収納された内胴と、該内胴の側面を覆う外胴と、前記内胴と前記外胴との間に前記内胴と前記外胴とが接触しないように軟質材より成る環状の外周緩衝体とを備え、前記外胴にはバンドを連結するための連結脚が形成されていると共に、前記外胴は、硬質材より成る内郭と、該内郭を外方に露出しないように覆う軟質材より成る外郭とから構成されており、
前記バンドの横方向に相対する前記連結脚の側面は、前記外郭が排除されて前記内郭が露出しており、前記バンドを連結する連結部材が挿入される連結孔は、前記露出した内郭に形成されていることを特徴とする腕時計ケース。
【請求項２】
前記外胴の内郭は硬質の合成樹脂で成形され、前記外胴の外郭は軟質の合成樹脂で成形されたことを特徴とする請求項１に記載の腕時計ケース。
【請求項３】
前記内郭と前記外郭は異素材成形により一体に成形されたことを特徴とする請求項２に記載の腕時計ケース。
【請求項４】
前記内胴と前記外胴は前記外周緩衝体を間に挟んで固定ネジにより固定され、前記固定ネジは前記内胴に螺入されると共に、前記固定ネジの頭部は前記外胴の外郭に係合していることを特徴とする請求項１から請求項３のいずれかに記載の腕時計ケース。
【請求項５】
前記外周緩衝体は前記外胴の外郭と凹凸部にて係合していること特徴とする請求項１から請求項４のいずれかに記載の腕時計ケース。
【請求項６】
前記内郭が外方に露出しないように、前記内郭の上面、外側面、及び下面を前記外郭が覆うと共に、前記連結脚の前記バンドの横方向に相対する側面は前記内郭が露出するように構成されていることを特徴とする請求項１から請求項５のいずれかに記載の腕時計ケース。
【発明の詳細な説明】
【０００１】
【発明の属する技術分野】
本発明は、腕時計ケース、特にケース内のムーブメントを保護する耐衝撃構造を有する時計ケースに関するものである。
【０００２】
【従来の技術】
耐衝撃構造として、実公平６−１７１１０号公報記載の時計ケースが知られている。図１５はその時計ケースを示す断面図で、金属製の内胴１とペルプレンなどの硬質な構成樹脂より成る外胴２との間に、ポリウレタンゴムなどの弾性材より成る緩衝体３が設けられて、この緩衝体３は外胴と緩衝体を貫通した固定ネジ４を内胴１に螺入することにより内胴１と外胴２との間に固定されている。
【０００３】
【発明が解決しようとする課題】
上記の耐衝撃構造には、緩衝体３の弾性変形により、時計ケースに対する衝撃を吸収できる利点があった。
しかしながら、過大な衝撃が与えられると、内胴１と外胴２との間に挟まれた緩衝体３は弾性変形できても、硬質な合成樹脂よりなる外胴２は、その弾性変形に追従できずに割れることがある。
【０００４】
また、緩衝体３の弾性変形だけでは衝撃を充分に吸収しきれず、内胴１に収納されたムーブメントに衝撃が伝わって、ムーブメントが破壊されることがある。
また、固定ネジ４が緩むと、緩衝体３と外胴２が分離してしまう。
さらに、異物との接触などにより、外胴２が傷ついたり、磨耗したりする。
【０００５】
従って、本発明の第一の目的は、衝撃が加えられても破壊されない腕時計ケースを提供するにある。
第二の目的は、胴からムーブメントに衝撃が伝わりにくい腕時計ケースを提供するにある。
第三の目的は、緩衝体と胴が分離しない腕時計ケースを提供するにある。
第四の目的は、胴に充分な耐傷性や耐磨耗性を付与できる腕時計ケースを提供するにある。
【０００６】
【課題を解決するための手段】
請求項１による発明は、ムーブメントが収納された内胴と、該内胴の側面を覆う外胴と、前記内胴と前記外胴との間に前記内胴と前記外胴とが接触しないように軟質材より成る環状の外周緩衝体とを備え、前記外胴にはバンドを連結するための連結脚が形成されていると共に、前記外胴は、硬質材より成る内郭と、該内郭を外方に露出しないように覆う軟質材より成る外郭とから構成されており、前記バンドの横方向に相対する前記連結脚の側面は、前記外郭が排除されて前記内郭が露出しており、前記バンドを連結する連結部材が挿入される連結孔は、前記露出した内郭に形成されていることを特徴とする。
之により、加えられた衝撃は、内郭のほぼ全面を覆う軟質材より成る外郭の弾性変形により吸収されて、ムーブメントに伝わらない。硬質材より成る内郭は、外胴の強度を維持する。そして、衝撃は外郭と外周緩衝体に吸収されるので、内郭が割れることはない。また、バンドが引っ張られても、軟質な外郭にはバンドを引っ張る力が及ばないので、外郭が変形したり破れたりする危険を排除できる。更に、バンドが引っ張られても、硬質な内郭は、変形したり破れたりしないので、バンドが外胴に強固に連結される。
【０００７】
請求項２による発明は、前記外胴の内郭は硬質の合成樹脂で成形され、前記外胴の外郭は軟質の合成樹脂で成形されたことを特徴とする。
また、請求項３による発明は、前記内郭と前記外郭は異素材成形により一体に成形されたことを特徴とする。
従って、内郭と外郭が分離することはない。
【０００９】
請求項４による発明は、前記内胴と前記外胴は前記外周緩衝体を間に挟んで固定ネジにより固定され、前記固定ネジは前記内胴に螺入されると共に、前記固定ネジの頭部は前記外胴の外郭に係合していることを特徴とする。
【００１０】
請求項５による発明は、前記外周緩衝体は前記外胴の外郭と凹凸部にて係合していること特徴とする。
外胴の外郭と外周緩衝体とが係合するので、衝撃による外周緩衝体の位置がずれたり、外れたりすることがない。
また、請求項６による発明は、前記内郭が外方に露出しないように前記内郭の上面、外方側面、及び下面を前記外郭が覆うと共に、前記連結脚の前記バンドの横方向に相対する側面は前記内郭が露出するように構成されていることを特徴とする。
【００１１】
【発明の実施の形態】
図１は本発明によるケースを用いた腕時計をネジ類を外して示した平面図、図２はその背面図、図３はその正面図、図４は図１のＩＶ−ＩＶ断面図、図５は図１のＶ−Ｖ断面図、図６は図１のＶＩ−ＶＩ断面図、図７は図１のＶＩＩ−ＶＩＩ断面図、図８、図９は側面図、図１０乃至図１２は本発明による時計ケース全体の分解図、図１３、図１４は本発明による時計ケースの一部の分解斜視図である。
本発明による腕時計ケースは金属製の内胴２０及び合成樹脂製の外胴２１よりなり、外胴２１はポリウレタンなどの軟質な合成樹脂より成る外郭２２と、ポリカーボネイトなどの硬質な合成樹脂より成る内郭２３とよりなる。内郭と外郭とは、異素材成形（二色成形）により一体に成形される。内郭と外郭を一体成形する方法は下記の通りである。
【００１２】
まず、一次成形用金型内にポリカーボネイトなどの硬質合成樹脂を注入し、内郭を成形する。次に、一次成形用金型を取外し、二次成形用金型を取付け、内郭を二次成形用金型内に配置する。次に二次成形用金型内にポリウレタンなどの軟質合成樹脂を注入する。それにより、硬質合成樹脂より成る内郭の外表面と、注入された軟質合成樹脂より成る外郭が一体に成形される。なお、インサート成形法を用いて、内郭と外郭とを一体に形成しても良い。
外郭２２は、内郭２３が外方に露出しないように内郭の上面、側面、及び下面を覆うように配置される。外胴２１の内郭２３には、バンド２４（図１参照）を連結する為の一対の連結脚２５が両側に形成されている。
【００１３】
連結脚における、バンド２４の横方向に相対する側面は、図６に示すように、外郭２２が排除され、内郭２３が露出している。また、外胴における、一対の連結脚の間に位置する側面も、外郭が排除され、内郭２３が露出している。これにより、外胴と連結されたバンド２４と相対するように、硬質な内郭が露出しているので、回動するバンドとの接触により、軟質な外郭が磨耗することがない。
また、バンド２４を連結するための連結ピン２６が挿入される連結孔は、外胴の内郭２３に形成され、配置される。これにより、バンドが硬質な内郭に連結される。従って、バンドが強く引張られても、軟質な外郭にはバンドを引張る力が及ばないので、外郭が変形したり破れたりしたりする危険を防ぐことができる。また、バンドが引張られても、硬質な内郭は、変形したり破れたりしないので、バンドが外胴に強固に連結される。
【００１４】
内胴２０は図４、図５に示すように本体２０ａと底部２０ｂよりなる。底部２０ｂの上には環状で合成樹脂製の弾性を有する底部緩衝体２７及び耐磁部材３１を介してムーブメント３０が配置され、耐磁部材３１の外周と本体２０ａとの間に筒状緩衝体３２が配置されている。
ムーブメント３０の上にはソーラーセル３３及びムーブメントの文字板固定部３４を介して文字板３５、ムーブメント緩衝体３６、見返しリング３７、見返しリング緩衝体３８、耐磁性材料よりなる風防受け部材４０、及び合成樹脂製のベゼル４２が順次重ねられている。更に風防受け部材４０の上には風防固定兼防水用パッキン４３（図５）を介して風防４５が固定されている。また、風防受け部材４０の外周と内胴本体２０ａとの間に固定兼防水用パッキン４６（図５）が介在されている。一方、ベゼル４２には金属製頂部枠体４７が嵌められている。
【００１５】
内胴２０と外胴２１との間には、環状で合成樹脂製の弾性を有する外周緩衝体４８が介在される。両胴は円周上四箇所において半径方向に配設され、内胴２０に螺入された固定ネジ５０により固定されている。外周緩衝体４８は外胴２１の外郭２２に対し凹凸部５１で係合しているので、外胴２１に衝撃が加えられても外周緩衝体４８がずれたり外れたりすることがない。
図７に示すように、竜頭５２が内外胴２０、２１に回転可能に支持され、巻真５３に連結されている。
以上の構造であるから、加えられた衝撃は、軟質な外郭２２の弾性変形により吸収されて、ムーブメント３０には伝わらないので、ムーブメントを衝撃から保護できる。硬質な内郭２３は、外胴の強度を維持する。そして、衝撃は外郭２２に吸収されるので、衝撃により内郭２３が割れることはない。
【００１６】
次に、本発明を構成する各部を詳細に説明する。
図１及び図１３に示すように、頂部枠体４７は四個の突起４７ａを有し、ベゼル４２と共に四個のネジ５５で内胴２０の本体２０ａに固定されている（図５）。ネジ５５はベゼル４２の孔４２ａを貫通し、また風防受け部材４０の外周に形成された凹部４０ａに係合している。頂部枠体４７は、軟質なベゼル４２に耐磨耗性と耐傷性を付与する。
ベゼル４２は内周下部段部５６を有し、風防受け部材４０の外周縁と係合している。またベゼル４２は内周下縁に斜面５７が形成され、之が風防４５の上周縁の斜面５８に当接している。
【００１７】
ムーブメント緩衝体３６は下方への段部３６ａを有し、ここにムーブメントの文字板固定部３４が係合している。
以上の構成であるから、ベゼル４２の上方より衝撃が加えられた時は、ベゼル４２、緩衝体３８、３６によりその衝撃が内胴２０及びその内部のムーブメント３０その他各部に伝わるのを防いでいる。
更に風防４５に軸方向及び径方向の衝撃が加えられてもベゼル４２の斜面５７で受け、風防が外れるのを防ぎ、また径方向の衝撃に対しては、ベゼル４２が外力を吸収し、風防を保護することができる。また、ネジ５５が風防受け部材４０の凹部４０ａに係合しているので、その部材の偏位を防いでいる。
【００１８】
見返しリング緩衝体３８は風防４５に加えられた衝撃により風防受け部材４０が見返しリング３７に当たって何れかが破損するのを防ぎ、また風防自体が破損するのを防いでいる。更に、風防４５に対する衝撃がムーブメント３０に伝わるのも防いでいる。
一方、見返しリング３７は上方下方に延長部３７ａ、３７ｂを有し（図５）、緩衝体３８及び３６を隠し、特に延長部３７ａは風防受け部材４０の所まで延長され緩衝体が外部から見えないようにしている。更に、径方向の衝撃が加えられても、延長部３７ａが緩衝体３８に当り、リングの破損を防ぐことができる。
【００１９】
ムーブメント緩衝体３６は、軸方向の衝撃がムーブメント３０に伝わるのを防ぎ、また見返しリング３７がムーブメントに当るのを防いでいる。更に文字板３５の外周上面に当接し、文字板を抑えている。
筒状緩衝体３２は、外胴２１及び内胴２０に加わる外力を吸収してムーブメントに伝わるのを防ぐ。また段部３２ａにより耐磁部材３１を介してムーブメントを保持している。
ムーブメント緩衝体３６の下側段部３６ａは径方向のムーブメントに対する衝撃を受け、ムーブメントを保護している。
【００２０】
底部緩衝体２７は底部２０ｂの凹部２０ｃ内に収められ軸方向の衝撃を吸収し、ムーブメントを保護している。また凹部２０ｃの内周壁により緩衝体２７が変位変形するのを防止している。
更に、緩衝体２７を貫通してアース用のバネ６０が内胴２０に導通されている。従って、バネ６０が外れることがない。
また、内胴からムーブメント３０に伝わる静電気は、バネ６０を介して内胴の底部に流れ、そして露出した内胴の下面より人体に流される。従って、静電気によるムーブメントの破壊が防止される。
【００２１】
竜頭５２（図７）とムーブメント３０との間に巻真５３を囲んで金属製で環状の軸方向移動規制部材６１が設けられている。
外胴２１の底部には円形の開口６２が形成され、そこより緩衝体４８の底面４８ａが露出している。また緩衝体の一部が内胴の底の一部を掩いまたそこより外方に突出している。
又、緩衝体４８の底面４８ａが外胴２１の開口６２から露出し、また内胴の底より突出しているので、ケースを落とした時の内胴に対する緩衝が得られる。更に、緩衝体４８が手首に柔軟に接するので、装着感が向上する。
【００２２】
【発明の効果】
本発明によれば、あらゆる衝撃に対し、ケース内の部品、特にムーブメント及び風防を保護し、事故を防ぐことができる。
【図面の簡単な説明】
【図１】本発明によるケースを用いた腕時計をネジ類を外して示した平面図である。
【図２】本発明によるケースを用いた腕時計の背面図である。
【図３】本発明によるケースを用いた腕時計の正面図である。
【図４】図１のＩＶ−ＩＶ断面図である。
【図５】図１のＶ−Ｖ断面図である。
【図６】図１のＶＩ−ＶＩ断面図である。
【図７】図１のＶＩＩ−ＶＩＩ断面図である。
【図８】本発明によるケースを用いた腕時計の側面図である。
【図９】本発明によるケースを用いた腕時計の側面図であ。
【図１０】本発明による時計ケース全体の分解図である。
【図１１】本発明による時計ケース全体の分解図である。
【図１２】本発明による時計ケース全体の分解図である。
【図１３】本発明による時計ケースの一部の分解斜視図である。
【図１４】本発明による時計ケースの一部の分解斜視図である。
【図１５】従来の時計ケースを示す断面図である。
【符号の説明】
１  内胴
２  外胴
３  緩衝体
４  固定ネジ
２０  内胴
２０ａ  本体
２０ｂ  底部
２０ｃ  凹部
２１  外胴
２２  外郭
２３  内郭
２４  バンド
２３  連結脚
２４  頂部緩衝体
２４ａ  孔
２５  連結脚
２６  連結ピン
２７  底部緩衝体
２８  風防受け部材
３０  ムーブメント
３１  耐磁部材
３２  筒状緩衝体
３２ａ  段部
３３  ソーラーセル
３４  文字板固定部
３５  文字板
３６  ムーブメント緩衝体
３６ａ  段部
３７  見返しリング
３７ａ，３７ｂ  延長部
３８  見返しリング緩衝体
４０  風防受け部材
４０ａ  凹部
４２  ベゼル
４２ａ  孔
４３  風防固定兼防水用パッキン
４５  風防
４６  固定兼防水用パッキン
４７  金属製頂部枠体
４７ａ  突起
４８  外周緩衝体
４８ａ  底面
５０  固定ネジ
５１  凹凸部
５２  竜頭
５３  巻真
５５  ネジ
５６  内周下部段部
５７、５８  斜面
６０  バネ
６１  軸方向移動規制部材
６２  開口
【図１】
0004805437.tif 000002
【図２】
0004805437.tif 000003
【図３】
0004805437.tif 000004
【図４】
0004805437.tif 000005
【図５】
0004805437.tif 000006
【図６】
0004805437.tif 000007
【図７】
0004805437.tif 000008
【図８】
0004805437.tif 000009
【図９】
0004805437.tif 000010
【図１０】
0004805437.tif 000011
【図１１】
0004805437.tif 000012
【図１２】
0004805437.tif 000013
【図１３】
0004805437.tif 000014
【図１４】
0004805437.tif 000015
【図１５】
0004805437.tif 000016